(57)【特許請求の範囲】
【請求項１】
貯蔵室が冷蔵庫箱体に対する前後方向の滑動により開閉される扉及びこの扉と共に出し入れされる貯蔵容器を有する引出し式貯蔵室と、冷蔵庫内背面側であって、この貯蔵容器上部から冷気を吹き出す冷気吐出口とを備えた冷蔵庫に於いて、扉側に位置する貯蔵容器前面壁の上方部近くに貯蔵容器内の冷気を貯蔵容器外に放出する連通開口を設け、且つ上記貯蔵容器の前面壁上端フランジ部を扉が当接する仕切部材の投影面内に位置させると共に、仕切部材下面に断熱シール部材を取り付け、この断熱シール部材を断面逆Ｕの字状の二つの鰭を有する軟質材の成形品とし、扉閉時、上記断熱シール部材を貯蔵容器の前面壁上端フランジ部に当接させ、上記断熱シール部材の二つの鰭で貯蔵容器の前面壁上端フランジ部を挟み込むようにしたことを特徴とする冷蔵庫。
【請求項２】
冷蔵庫を複数の貯蔵室に仕切る仕切部材と、前記複数の貯蔵室のうちの一の貯蔵室を覆い閉時に前記仕切部材と当接する引き出し式の扉と、上面が開口し前記引出し式の扉とともに引き出される貯蔵容器と、前記貯蔵室の背面側から前記貯蔵容器へ冷気を吹き出す冷気吐出口とを備え、前記扉の裏面部と前記貯蔵容器との間の空間を冷気通路として、前記冷気吐出口から吹き出され前記貯蔵容器を冷却した冷気が前記冷気通路を通る冷蔵庫において、
前記仕切部材の投影面内であって前記貯蔵容器の前面側上部と前記扉との間に、断面逆Ｕの字状の二つの鰭を有する軟質材の鰭部材を備え、この鰭部材は前記仕切部材に取付けられるとともに、前記引出し式の扉の閉時には前記二つの鰭で前記貯蔵容器の前面壁上端フランジ部を挟むように構成された冷蔵庫。
【請求項３】
容器前面壁の上端フランジ部近傍を扉内板に当接させ、仕切部材中に埋込まれた仕切部材加熱要素で加熱された冷気が扉内板側に流れるのを防止するようにしたことを特徴とする特許請求の範囲第１項又は第２項記載の冷蔵庫。
【発明の詳細な説明】
【０００１】
【発明の属する技術分野】
本発明は冷蔵庫に係わり、特に、庫内に冷気を強制循環させて冷却する冷却方式であると共に、複数の貯蔵室のうち少なくとも１つが扉と貯蔵容器を備えた引き出し式の冷凍貯蔵室となっている冷蔵庫に関する。
【０００２】
【従来の技術】
最近の冷蔵庫では、使い勝手の良さと共に消費電力量の少なさも強く求められており、圧縮機等の冷凍サイクル構成機器の効率向上や箱体の断熱性能の向上が重要な技術課題となっている。箱体の断熱性能の良否、言い換えれば箱体の熱侵入量の少なさ及び多さには、庫内外の熱伝達率・温度差及び壁の熱伝導率や表面積（これが大きいと熱侵入量は増加）壁の厚さ（大きいと熱侵入量は減少）が関係してくる。冷凍貯蔵室では、庫内温度が約−１８℃であり庫内を氷点ないしそれ以上とする他の貯蔵室に比べ庫内外の温度差がかなり大きく、外壁の厚さを他の貯蔵室よりやや大きくしているが熱侵入量は相対的に多くなっている。例えば、箱体全体の貯蔵室の１／４の内容積を冷凍貯蔵室が占める場合、その熱侵入量は箱体全体の約１／２になると言われている。
【０００３】
また、以前の冷蔵庫で多かった固定棚式の冷凍貯蔵室の場合には、冷気は背面側から吐出後にすぐに各棚の断面内に拡散して前側へ流れるため底風速であるのに対して、最近の冷蔵庫に多く見られる引き出し式の冷凍貯蔵室の場合には、背面側から前側へ貯蔵容器内を流れる冷気はやや低風速だか、容器前面上端付近から容器外側を容器前面と底面に沿った戻りの経路では通路断面が狭いので高風速となる傾向にある。そのため、引き出し式の方が外壁等になる扉内面や貯蔵室の下面等に沿うまたは当たる風速が従来の固定棚式より大きくなってしまい、それらの内面での熱伝達率も大きくなることから、貯蔵室全体の熱侵入量も多くなってくる。
【０００４】
貯蔵室での熱侵入量が多いことは、目標の庫内温度に保つのに大きな冷却能力を必要とし、結果的に冷蔵庫の消費電力量の増加につながることを意味する。従って、箱体の断熱性能の向上、即ち熱侵入量の低減の対象としては、引き出し式の冷凍貯蔵室に重点を置くべきであることがわかる。
【０００５】
ここで、引き出し式の冷凍貯蔵室について、全体の構造と冷気循環の状況、及び熱侵入量が多くて断熱性能低下の原因となっている個所とそれらの従来の対策例を、図等を使用して具体的に説明する。
【０００６】
図４は従来の冷蔵庫全体の斜視図であり、一部の扉を開けて各貯蔵室の形式がわかるようにしている。図５及び図６は、引き出し式の冷凍貯蔵室の周辺に限った、図４の冷蔵庫で扉を閉めた状態での冷蔵庫の下半部分の縦断側面図、及び同じ状態の冷蔵庫の下半部分の扉を省略した正面図である。また、図７は、１つの引き出し式の冷凍貯蔵室の前側を拡大した、図１１の冷蔵庫で扉を閉めた状態での冷蔵庫の部分縦断側面図である。
【０００７】
図４ないし図６において、冷蔵庫１は、基本的に箱体２と複数の扉３ａ〜３ｄからなり、上部は固定棚式の冷蔵貯蔵室４であり、下部は複数の引き出し式の貯蔵室として、野菜貯蔵室５と第１及び第２の冷凍貯蔵室６ａ，６ｂが上から順に配置されている。また、第２の冷凍貯蔵室６ｂないし下部は機械室となっている。これ以降の説明でも、従来の冷蔵庫として貯蔵室が箱体上部から固定棚式の冷蔵貯蔵室，引き出し式の野菜貯蔵室及び２段の引き出し式の冷凍貯蔵室の順になったものを使用したが、貯蔵室の配置が異なっても引き出し式の冷凍貯蔵室の冷気循環の状況や断熱性能の問題点等は基本的に同じである。
【０００８】
引き出し式の冷凍貯蔵室６ａ，６ｂは、箱体２の箱体側面壁７ａ，箱体下面壁７ｂ，箱体背面壁７ｃと貯蔵室間の仕切り部材８ｂ，８ｃにより区画されており、貯蔵室の四周前面の封止のため扉３ｃ，３ｄ側にパッキン９ｂ，９ｃが設けられ、扉３ｃ,３ｄと貯蔵容器１０ａ,１０ｂは容器側面の支持枠兼用レール１１ａ，１１ｂと箱体２側の固定レール（図示省略）により箱体２の前後方向に一体で滑動する形で出し入れされる。野菜貯蔵室５と第１の冷凍貯蔵室６ａのすぐ背面部には、背面仕切り部材１２を経て蒸発器１３と送風機（図示省略）が配置され、低温にされた冷気１４のうち約８０％以上は背面仕切り部材１２の内面と前面吐出口を経て引き出し式の冷凍貯蔵室６ａ，６ｂに送り込まれ、残りの冷気１４は他の貯蔵室に箱体２の背面の通路により送り込まれ、各貯蔵室を冷却した後に蒸発器１３の流入側に戻る。一方、庫内を循環する冷気１４から蒸発器１３で奪った熱は、機械室に配置された圧縮機１５や凝縮器１６等により、冷凍サイクルを循環する冷媒を介して庫外に放出される。
【０００９】
第２の引き出し式の冷凍貯蔵室６ｂを例にとって、冷凍サイクルが動作している場合の引き出し式の冷凍貯蔵室内の冷気循環の状況等を示すと次のようになる。冷気１４は背面仕切り部材１２の前面吐出口から貯蔵容器１０ｂの内部に前面側に向けて注ぎ込まれ、吐出後の冷気は特に低温で密度が大きいので容器内の下半部分を幅方向に広がりながら流れる。その際に食品１７に当たって冷却しながら上方・左右への拡散・混合が進むので、冷気１４はすぐに容器断面全体に行き渡って比較的低風速で前面側に流れるようになる。
【００１０】
容器前面に近づいた冷気１４は、主に容器前面の上端付近の連通開口１８を通って容器外側に出て、容器前面と扉３ｄの内面との間，容器底面と箱体下面壁  ７ｂとの間の経路を通って背面側へと戻る。容器前面の上端は貯蔵容器１０ｂの内容積増大と扉３ｄを開けたときの意匠性の点から扉３ｄの内面や仕切り部材  ８ｃにかなり近く配置し、容器前面と底面の対向面との間隔も貯蔵容器１０ｂの内容積増大の点から比較的狭くされている。
【００１１】
その結果、一般的な引き出し式の冷凍貯蔵室の寸法関係から考えても、冷気  １４の容器内の風速が食品の存在で空の場合の２倍となっている場合に対し、容器前面の上端付近での風速は容器内に比べ約１０倍、容器外側の前面や底面に添う経路での風速は３〜数倍と、これらの部分ではかなり高風速になる。
【００１２】
一方、容器外側の側面、即ち貯蔵室の側面については、貯蔵容器１０ｂの左右の側面には支持枠兼用レール１１ｂが貯蔵室の奥行きいっぱいに延びており、扉３ｄを閉めた状態ではこれにより容器側面と箱体側面壁７ａの隙間がほぼ塞がれてしまうので、容器の上端から側面へ下向きに流れる冷気量は少なく、その部分の風速も小さいといえる。また、前記の貯蔵容器１０ｂの内部の冷気１４の流れの状態からわかるように、貯蔵室の上面に沿った風速は小さくなる。
【００１３】
図７にも示したように、前記の引き出し式の冷凍貯蔵室６ｂの中で冷気１４が最も高風速となる貯蔵容器１０ｂの容器前面の上端付近、言い換えれば貯蔵室の四周の上部のパッキン９ｃ周辺では、冷気１４は連通開口１８付近で急激に下向きに曲がって流れる。その際、高風速なことと曲がり方が急なために、冷気１４の一部は曲がりきれずに上部のパッキン９ｃの方向に向かい、仕切り部材８ｃに沿って扉３ｄの内面に達するまで流れてゆく。パッキン方向に流れた冷気１４は、扉３ｄの内面と貯蔵容器１０ｂの容器前面との隙間が狭いために、多くは反転して連通開口１８に戻ってそこから下向きに流れることになる。
【００１４】
このように、冷気１４の流れ方が複雑に変化することと元々高風速なことで、この上部のパッキン９ｃ周辺の庫内側表面、即ちパッキン・扉側及び貯蔵室の四周内面の前面付近側の表面の熱伝達率は貯蔵室内でも特に大きくなる。一方、パッキン９ｃ周辺のパッキン・扉側の部分の断熱性能は、パッキンの幅が箱体壁等の厚さより小さいことや箱体・扉の表面が鋼板・樹脂製であることから仕切り部材８ｃや箱体下面壁７ｂの厚さ方向に比べるとかなり低く、庫外からの熱侵入でこれらの部分は貯蔵室内で最も高温になる傾向がある。
【００１５】
ところで、貯蔵室の四周を形成する仕切り部材８ｃや箱体２の箱体下面壁７ｂ・箱体側面壁７ａには、前面の鋼板表面が庫内への熱侵入で低温となって結露を生ずることのないように、凝縮域にある冷媒管等の結露防止加熱要素１９が前記の鋼板の裏側に設置されている。結露防止加熱要素１９からの熱は、前面の鋼板だけでなく箱体壁・仕切り部材の樹脂製の内表面や断熱材内部にも伝わるため、結露防止加熱要素１９に近い貯蔵室の四周内面付近側の表面はパッキン・扉側の部分と同様に高温になる。
【００１６】
以上のように、パッキン９ｃ周辺の庫内側表面、即ちパッキン・扉側及び貯蔵室の四周内面の前面付近の表面では、貯蔵室内でも特に熱伝達率が大きくなると共に表面温度も高いので、貯蔵室の中でこの部分の占める内面積の割合は小さいにも拘わらず全体の熱侵入量に占める割合は多いものとなってくる。
【００１７】
また、引き出し式の冷凍貯蔵室６ｂの中で、前記の上記のパッキン９ｃ周辺に次いで冷気１４が高風速となる容器外側の前面や底面に添う経路は、一方で扉内面から貯蔵室下面までに面している。これらのうち、扉内面は扉外板が外気に曝される外壁であり、貯蔵室下面は、貯蔵室が最下段の場合は外壁、貯蔵室が最下段でない場合は他の貯蔵室との仕切り部材になる。扉内面及び貯蔵室下面が外壁であれば、これらの内面に沿う冷気１４が高風速であるため庫内側の熱伝達率が大きくなり、またこれらの内面が貯蔵室の中で占める内面積の割合も大きいので、貯蔵室全体に占める熱侵入量の割合は多くなる。
【００１８】
一方、貯蔵室下面が仕切り部材である場合は、冷気１４が高風速であっても外壁のように庫外から庫内への熱侵入量は直接には増加しない。しかしながら、仕切り部材を隔てて下側に隣接する貯蔵室の庫内温度は氷点以上（多くの場合は野菜貯蔵室であり約５℃）であり、仕切り部材の冷凍貯蔵室側表面の熱伝達率が大きくなり仕切り部材を通しての熱侵入量が多くなると、下側の貯蔵室の仕切り部材の表面温度が低下して氷点付近となる。これにより下側の貯蔵室には、仕切り部材の表面に結露・着霜したり冷凍サイクル停止時に過冷却される等の問題が生ずるので、仕切部材を厚くする（仕切りの薄形化や冷気通路内蔵化で制限あり）と共にその内部に加熱要素（通常は電熱ヒータ）を設置する等の対策がとられる。
【００１９】
後者の対策では、要素への電気入力増加と庫内冷却能力の増加とにより、結局は外壁で熱侵入量が増えた場合と同様に冷蔵庫の消費電力量の増加をもたらす。従って、庫内面及び貯蔵室下面が外壁であるか否かによらず、この部分が高風速で熱侵入量が多いことで冷蔵庫の消費電力量には同じ影響を及ぼすことがわかる。
【００２０】
また、扉内面から貯蔵室下面に沿って冷気１４が流れる場合、貯蔵室の四周の側部及び下部のパッキン９ｃにも冷気１４は沿ってまたは当たって流れる。これらの部分では冷気１４の風速は前記の上部のパッキンほどではなく熱伝達率もやや低くなるが、パッキン周辺での断熱性能の低さと表面温度の高さは同じなので、扉内面から貯蔵室下面までの途中の側部及び下部のパッキン９ｃでも熱侵入量がやや多いと考えられる。
【００２１】
以上のように、引き出し式の冷凍貯蔵室においては、上記以外も含めたパッキン周辺部分と扉内面から貯蔵室下面までの部分での熱侵入量が特に多くなっており、それが冷蔵庫の消費電力量が多い原因の１つともなっている。これらの部分に関連した引き出し式の冷凍貯蔵室の熱侵入量の低減策、即ち断熱性能の向上のための改善案が既に幾つか提案されている。
【００２２】
それらのうち、パッキン周辺部分の断熱性能の向上に関するものとしては、第１に特開平7−55321号公報（文献１）に示されているような、扉を閉めた状態で容器前面の上端付近の連通開口も含む貯蔵容器の上方開口部を覆うような蓋を設けるものがある。このような蓋の設置により、容器内部を流れた冷気は他へ漏れ出すこともなく連通開口から容器外側へ下向きに流れ出るので、貯蔵室の四周の上部パッキン付近に冷気が直接には当たらなくなり、従来は多かった上部パッキン周辺部分での熱侵入量を減らせる効果があると考えられる。
【００２３】
また、パッキン周辺部分の断熱性能の向上に関する従来の改善案の第２のものとしては、特開平8−29050号公報（文献２）に示されているような、扉内面に凹面状薄板の内蓋を取り付け、扉を閉めた状態では箱体の四周前面に内蓋がパッキンより内周側で当接して封止作用をするようにしたものがある。これは冷蔵庫の固定棚式の貯蔵室を対象としたものである。
【００２４】
また、冷気の循環方法に対する改善案としては、戻りの経路での冷気風速を低くすることや、特開平7−332835 号公報（文献３）に示されているような貯蔵容器の改善により冷気循環を変えることが考えられる。前者の場合は、容器外表面と扉内面から貯蔵室下面まで表面との間隔を広げることになるが、食品収納に有効な貯蔵容器の内容積が減るという実用性の点で問題がある。また、後者の貯蔵容器の改善例は、容器の前面上端付近だけでなく底面や前面下端・背面下端付近にも連通開口を設けて容器内の冷気循環を良くすることを主に目指したものであるが、容器外側の前面から底面に沿った戻り経路を始めから全ての冷気が通ることがなくなるので、戻り経路内の冷気の風速そして熱伝達率が小さくなって熱侵入量が減る効果がある。
【００２５】
【発明が解決しようとする課題】
しかしながら、前記文献１に記載された蓋は、前面が扉を閉めた状態の貯蔵容器の前面上端の位置まで突出するので扉を開けた場合に目立つことや、貯蔵室の側面や上面に蓋の固定のための突起等が必要になることで、意匠性に問題が出てくる。また、蓋の占める容器上方の空間の分だけ貯蔵室の有効な内容積が減ること、扉開閉が頻繁で庫外に引き出される貯蔵容器の表面への結露量が多くなった場合、扉を閉めた状態で容器表面の水分が蒸発・昇華しきれずに蓋との間で凍結して蓋と容器を固着される恐れがあること、また蒸発器の除霜時に背面仕切り部材から暖気の漏れや輻射により伝わる熱が蓋のために容器内の上部にこもりやすくなるため、一時的な温度上昇が大きくなって食品の貯蔵性が低下すること、といった実用性に係わる問題も生ずる。
【００２６】
前記文献２に記載された技術を冷蔵庫の引き出し式の冷凍貯蔵室へ適用した場合を考えると、パッキン・扉側に冷気が流れ込みにくくなるのでこの部分の熱侵入量の低減には有効だが、内蓋は鰭パッキン等よりもかさばる構造であるために意匠性の低さや貯蔵室の有効な内容積が減るという実用性の点に問題があることが考えられる。
【００２７】
冷気循環方法に対する改善案が、前記文献３に記載された技術であるが、貯蔵容器の連通開口を前記のように前面上端付近以外の場所にも追加すると、対策前は貯蔵容器内部を背面から前面まで冷気が行き渡って食品を冷却しながら流れたのに対し、対策後は貯蔵容器の前面に達する以前に大半の冷気が途中の連通開口から外側に流出するという冷気流のショートカットを起こしやすくなる。その結果、対策後には容器内の食品の冷却状態にむらを生ずると共に前面側が十分冷えないために貯蔵室内の温度差が大きくなるという、冷蔵庫の実用性に関する問題が出てくる。
【００２８】
本発明は、前述したような引き出し式の冷凍貯蔵室を備えた従来の冷蔵庫における問題点である、引き出し式の冷凍貯蔵室のパッキン周辺部分または扉内面から貯蔵室下面までの部分に対する断熱性能の向上を意匠性及び実用性に問題を生ずることなく図ることができず、それによる冷蔵庫の消費電力量の低減も達成できないという問題を解決しようとするものである。
【００２９】
本発明の目的は、引き出し式の貯蔵室を有する冷蔵庫において、引き出し式の冷凍貯蔵室のパッキン周辺部分に対する断熱性能の向上を図る冷蔵庫を提供することにある。
【００３０】
【課題を解決するための手段】
上記目的を達成するために、貯蔵室が冷蔵庫箱体に対する前後方向の滑動により開閉される扉及びこの扉と共に出し入れされる貯蔵容器を有する引出し式貯蔵室と、冷蔵庫内背面側であって、この貯蔵容器上部から冷気を吹き出す冷気吐出口とを備えた冷蔵庫に於いて、扉側に位置する貯蔵容器前面壁の上方部近くに貯蔵容器内の冷気を貯蔵容器外に放出する連通開口を設け、且つ上記貯蔵容器の前面壁上端フランジ部を扉が当接する仕切部材の投影面内に位置させると共に、仕切部材下面に断熱シール部材を取り付け、この断熱シール部材を断面逆Ｕの字状の二つの鰭を有する軟質材の成形品とし、扉閉時、上記断熱シール部材を貯蔵容器の前面壁上端フランジ部に当接させ、上記断熱シール部材の二つの鰭で貯蔵容器の前面壁上端フランジ部を挟み込むようにしたものである。
【００３１】
また、冷蔵庫を複数の貯蔵室に仕切る仕切部材と、前記複数の貯蔵室のうちの一の貯蔵室を覆い閉時に前記仕切部材と当接する引き出し式の扉と、上面が開口し前記引出し式の扉とともに引き出される貯蔵容器と、前記貯蔵室の背面側から前記貯蔵容器へ冷気を吹き出す冷気吐出口とを備え、前記扉の裏面部と前記貯蔵容器との間の空間を冷気通路として、前記冷気吐出口から吹き出され前記貯蔵容器を冷却した冷気が前記冷気通路を通る冷蔵庫において、
前記仕切部材の投影面内であって前記貯蔵容器の前面側上部と前記扉との間に、断面逆Ｕの字状の二つの鰭を有する軟質材の鰭部材を備え、この鰭部材は前記仕切部材に取付けられるとともに、前記引出し式の扉の閉時には前記二つの鰭で前記貯蔵容器の前面壁上端フランジ部を挟むように構成されたものである。
【００３２】
また、上記容器前面壁の上端フランジ部近傍を扉内板に当接させ、仕切部材中に埋込まれた仕切部材加熱要素で加熱された冷気が扉内板側に流れるのを防止するようにしたものである。
また、冷蔵庫を複数の貯蔵室に仕切る仕切部材と、前記複数の貯蔵室のうちの一の貯蔵室を覆い閉時に前記仕切部材と当接する引き出し式の扉と、上面が開口し前記引出し式の扉とともに引き出される貯蔵容器と、前記貯蔵室の背面側から前記貯蔵容器へ冷気を吹き出す冷気吐出口とを備え、前記扉の裏面部と前記貯蔵容器との間の空間を冷気通路として、前記冷気吐出口から吹き出され前記貯蔵容器を冷却した冷気が前記冷気通路を通る冷蔵庫において、前記仕切部材の投影面内であって前記貯蔵容器の前面側上部と前記扉との間に鰭部材を備えたものである。
【００３３】
【発明の実施の形態】
図１〜図３に示す本発明の実施形態は、第２の引き出し式の冷凍貯蔵室６ｂについて示しており、１０ｂは貯蔵容器。この貯蔵容器１０ｂの前面壁（ａ）は上部に連通開口２２，前面壁上端フランジ部（ｂ）を有している。又、この前面壁上端フランジ部（ｂ）は後述する仕切り部材８との投影面内に位置するようなされている。即ち貯蔵容器１０ｂが支持枠兼用レール１１ｂをもって扉３ｄに上記構成になるよう取付けられているということである。
【００３４】
２３は断熱シール部材。この断熱シール部材２３は図３にも示す如く、断面逆Ｕの字状の成形品であり、取付部２３ａの両端に軟質材の鰭２３ｂを有しているものである。そして、この断熱シール部材２３は先の上端フランジ部（ｂ）を図１，図２に示す如く、挟み込むことが出来るよう仕切り部材８ｃに取付けられている。
【００３５】
しかして、扉３ｄを開けた状態では、扉内面に固定されたパッキン９ｃや支持枠兼用レール１１ｂ、そして支持枠兼用レール１１ｂにはめ込まれた貯蔵容器  １０ｂが扉３ｄと一緒になって引き出される一方、断熱シール部材２３は仕切り部材８ｃの内面の前面付近に残るが、仕切り部材８ｃにかくれ使用者の視角より外れるので、意匠性に問題を生ずることはない。
【００３６】
又、扉３ｄを閉めた状態では、貯蔵容器１０ｂの前面壁上端フランジ部（ｂ）を断熱シール部材２３の鰭２３ｂが図に示す如く挟み込む格好でシールするので、パッキン９ｃの方向に向かう冷気１４の流れをほぼ完全に抑制し、庫内の他の部分より高温になるパッキン９ｃの内側表面やその付近の扉内面に冷気１４が当たることによる熱侵入量を従来より大幅に低減することができる。
【００３７】
１９は仕切部材加熱要素で先の仕切部材８ｃに埋込むようにして取付けられている。この仕切部材加熱要素１９には、冷凍サイクルを構成する凝縮器パイプがこれに当てられる。この加熱要素１９の傾きは先に従来例で説明した内容と同じである。
【００３８】
又、貯蔵容器１０ｂの上端フランジ部（ｂ）に連続する折り返しフランジ(ｃ)は、図１，図２に示す如く、扉３ｃの内板３ｃ′に当接している。このことにより加熱要素１９で加熱された冷気が扉３ｃ′に当たり熱漏洩を増すことがないもである。
【００３９】
【発明の効果】
上記のように本発明の冷蔵庫は、冷凍貯蔵室のパッキン周辺部分を対象として、その部分の断熱性能を意匠性や実用性の問題を生ずることなく向上するものである。
【００４０】
即ちパッキン周辺部分のパッキン・扉側へ冷気が流れ込むのが抑制されるので、その部分での熱侵入量を大幅に減らすことができる。また、断熱シール部材は、鰭と貯蔵容器の上段フランジ部との間を封止しているので、貯蔵容器，庫外及び結露防止加熱要素からの熱侵入で高温となる貯蔵室の前面付近での冷気の接触と伝熱が抑えられ、熱侵入量を大幅に減らすことができる。さらに、断熱シール部材は仕切部材に固定されていて庫内側にあまり突出しないので、従来の鰭パッキンと突出状態は変わらないので、共に意匠性に問題を生ずることはない。
【００４１】
さらに、貯蔵容器の上端フランジと断熱シール部材はコンパクトであるため貯蔵室の内容積を減らすことは実質的にないものである。
【００４２】
また、断熱シール部材の鰭は、軟質で鰭状としていることより密着性が良いものである。従って、貯蔵容器の上端フランジと鰭との位置が少しくらいズレることがあっても、シール効果を十分得られるものである。
【００４３】
また、前記のものにおいて四周の下部の鰭パッキンの外側端面を貯蔵容器の引き出し式の冷凍貯蔵室のパッキン周辺部分または扉内面から貯蔵室下面までの部分またはその両方で意匠性や実用性に問題を生ずることなく効果的に断熱性能を高められるので、１つ以上の引き出し式の冷凍貯蔵室を備えた冷蔵庫の消費電力量を少なくすることができるものである。
【図面の簡単な説明】
【図１】本発明に備えた冷蔵庫の要部縦断面図。
【図２】図１のＡ部拡大図。
【図３】図２に示す断熱シール材の詳細図である。
【図４】従来の冷蔵庫本体の斜視図である。
【図５】図４に示した従来の冷蔵庫の下半部分の縦断側面図である。
【図６】図４に示した従来の冷蔵庫の下半分の扉を省略した正面図である。
【図７】図４に示した従来の冷蔵庫の部分縦断側面図である。
【符号の説明】
１…冷蔵庫、２…箱体、３ａ〜３ｄ…扉、６ａ，６ｂ…冷凍貯蔵室、７ａ…箱体側面、８ａ〜８ｃ…仕切り部材、９ａ〜９ｃ…パッキン、１０ａ，１０ｂ…貯蔵容器、１４…冷気、１９…結露防止加熱要素、２０ａ，２０ｂ…鰭パッキン、２２…連通開口、２３…断熱シール部材、２５…容器内冷気戻り通路、２８…仕切り板材。
【図１】
0003721705.tif 000002
【図２】
0003721705.tif 000003
【図３】
0003721705.tif 000004
【図４】
0003721705.tif 000005
【図５】
0003721705.tif 000006
【図６】
0003721705.tif 000007
【図７】
0003721705.tif 000008